【手続補正書】
【提出日】平成17年8月8日(2005.8.8)
【手続補正１】
【補正対象書類名】特許請求の範囲
【補正対象項目名】全文
【補正方法】変更
【補正の内容】
【特許請求の範囲】
【請求項１】
複数の第１の基地局から複数の第１のゲートされたパイロット信号を送信すること、各第１のゲートされたパイロット信号は第１のコセットからのビットシーケンスを具備する；
複数の第２の基地局から複数の第２のゲートされたパイロット信号を送信すること、各第２のゲートされたパイロット信号は第２のコセットからのビットシーケンスを具備し、各第２のコセットは第１のコセットとは異なるビットシーケンスを具備し、第１及び第２のコセットからのビットシーケンスのそれぞれは擬似ノイズコードを具備する；
加入者局において少なくとも１の第１のゲートされたパイロット信号を探索すること、そして少なくとも１の第１のゲートされたパイロット信号に関する探索からタイミング情報を導出すること；
タイミング情報を使用して加入者局において少なくとも１の第２のゲートされたパイロット信号を探索すること；及び
第１及び第２のゲートされたパイロット信号に関する探索に基づいて加入者局と第１及び第２の基地局の１つとの間の通信チャネルを設定すること、
を具備する方法。
【請求項２】
探索された少なくとも１の第１のゲートされたパイロット信号及び少なくとも１の第２のゲートされたパイロット信号から見出された最大のゲートされたパイロット信号を識別することをさらに具備する、請求項１の方法。
【請求項３】
第１のゲートされたパイロット信号と第２のゲートされたパイロット信号とを同期させることをさらに具備する、請求項１の方法。
【請求項４】
第１のコセット中の各ビットシーケンスは第１のコセット中のその他のビットシーケンスとは異なる位相オフセットを有する、請求項１の方法。
【請求項５】
少なくとも１の第１のゲートされたパイロット信号に関する探索からタイミング情報を導出することは：
少なくとも１の第１のゲートされたパイロット信号に関する探索からの出力をセグメント化すること；
出力のセグメントをオーバーレイすること；及び
少なくとも１の第１のゲートされたパイロット信号に関する探索の期間中に見出されたゲートされたパイロット信号の周囲にパイロット信号ウィンドウを決定すること、
を具備する、請求項１の方法。
【請求項６】
パイロット信号ウィンドウを調節することをさらに具備する、請求項５の方法。
【請求項７】
少なくとも１の第１のゲートされたパイロット信号を検索することからノイズフロア決定することをさらに具備する、請求項１の方法。
【請求項８】
少なくとも１の第１のゲートされたパイロット信号を探索することからしきい値エネルギーレベルを決定することをさらに具備する、請求項１の方法。
【請求項９】
少なくとも１の第１のゲートされたパイロット信号に関する探索の期間中にしきい値エネルギーレベルを超える第１のゲートされたパイロット信号が見出されなければ、相関パラメータを調節することをさらに具備する、請求項１の方法。
【請求項１０】
相関パラメータは、少なくとも１の（ａ）少なくとも１の第１のゲートされたパイロット信号を探索するために使用されるビットシーケンスのチップ長、（ｂ）少なくとも１の第１のゲートされたパイロット信号を探索するために使用されるビットシーケンスの増加分の位相遅延、及び（ｃ）しきい値エネルギーレベルを具備する、請求項９の方法。
【請求項１１】
第１及び第２のゲートされたパイロット信号に関する探索に基づいてキャリア周波数に固定することをさらに具備する、請求項１の方法。
【請求項１２】
第１のゲートされたパイロット信号を送信するために構成された第１の基地局、第１のゲートされたパイロット信号は第１のコセットからのビットシーケンスを具備する；
第２のゲートされたパイロット信号を送信するために構成された第２の基地局、第２のゲートされたパイロット信号は第２のコセットからのビットシーケンスを具備し、各第２のコセットは第１のコセットとは異なるビットシーケンスを具備し、第１及び第２のコセットからのビットシーケンスのそれぞれは擬似ノイズコードを具備する；
下記のために構成された受信機：
第１のゲートされたパイロット信号を探索し、そして第１のゲートされたパイロット信号に関する探索からタイミング情報を導出し；
タイミング情報を使用して第２のゲートされたパイロット信号を探索し；及び
第１及び第２のゲートされたパイロット信号に関する探索に基づいて加入者局と第１及び第２の基地局の１との間の通信チャネルを設定する、
を具備するシステム。
【請求項１３】
基地局はコード分割多元アクセス（ＣＤＭＡ）信号を送信するために構成される、請求項１２のシステム。
【請求項１４】
受信機は探索された第１のゲートされたパイロット信号及び第２のゲートされたパイロット信号から見出された最大のゲートされたパイロット信号を識別するために構成される、請求項１２のシステム。
【請求項１５】
複数の異なるビットシーケンスを生成するために構成されたサーチャ；
複数の異なるビットシーケンスと受信した信号とを対比するために構成されたコリレータ；及び
下記のために構成されたプロセッサ：
受信した信号と複数の異なるビットシーケンスとの相関の関数として第１のゲートされたパイロット信号を検出し；
第１のゲートされたパイロット信号からタイミング情報を導出し；及び
サーチャによって生成された少なくとも１のビットシーケンスを制御するためにタイミング情報を使用することによって第２のゲートされたパイロット信号を検出する、
を具備する装置。
【請求項１６】
プロセッサは：
受信した信号とコリレータからの複数の異なるビットシーケンスとの相関をセグメント化し；
受信した信号とコリレータからの複数の異なるビットシーケンスとの相関のセグメントをオーバーレイし；及び
オーバーレイされた相関の時間ウィンドウの範囲内で第１のゲートされたパイロット信号を検出する、
ためにさらに構成される、請求項１５の装置。
【請求項１７】
異なるビットシーケンスは擬似ノイズコードを具備する、請求項１５の装置。
【請求項１８】
異なるビットシーケンスはビットシーケンスの少なくとも２のコセットを具備する、請求項１５の装置。
【手続補正２】
【補正対象書類名】明細書
【補正対象項目名】００３２
【補正方法】変更
【補正の内容】
【００３２】
パイロット信号バーストからノイズピークを分離するために、プロセッサは、いかなる数の技術を採用することができる。スレッシュホールディング技術は、複数の最大エネルギーピークの２下になる全てのエネルギーピークを認識し、そしてノイズフロア５０２を計算するためにこれらの認識したエネルギーピークを平均することを採用することができる。一旦、ノイズフロア５０２が計算されると、しきい値エネルギーレベルは、しきい値より大きい全てのエネルギーピークが、パイロット信号バーストと考えられ、それより低いものはノイズと考えて計算されることができる。例として、しきい値は、計算されたノイズフロアより高い固定のエネルギーレベルに設定されることができる。あるいは、しきい値は、最大エネルギーピークより低いあるエネルギーレベルに設定されることができる。少なくとも１の実施例では、計算されたノイズフロアより３ｄＢ高いしきい値が、使用される。このアプローチで、少なくとも３ｄＢの信号対ノイズ比を有するエネルギーピークは、パイロット信号バーストとしてプロセッサによって検出されるはずである。
【手続補正３】
【補正対象書類名】明細書
【補正対象項目名】００３３
【補正方法】変更
【補正の内容】
【００３３】
復調器出力が３２セグメントに減少され、ＰＮコード位相オフセットからのパイロット信号バーストが互いに一番上にくるように時間の順番に重ねられているため、その後、パイロット信号バーストを表す全てのエネルギーピークは、最大エネルギーピークのまわりの小さなパイロットウィンドウ５０６の中になるはずである。パイロットウィンドウ５０６は、周波数ロックの欠如に起因するエラーと同様に、多重経路遅延を認める大きさにされる。少なくとも1の実施例では、パイロットウィンドウは、６４チップであり、最大エネルギーピークを中心にする。
【手続補正４】
【補正対象書類名】明細書
【補正対象項目名】００３７
【補正方法】変更
【補正の内容】
【００３７】
プロセッサによって実行されたイグゼンプラリなアルゴリズムは、図６のフローチャートによって示される。ブロック６０２において、プロセッサは、基地局信号送信のディジタルサンプルをメモリに記憶する。説明したイグゼンプラリなＨＤＲ通信システムでは、各基地局は、３２，７６８チップ期間にわたって３２パイロット信号バーストを送信する。その結果、メモリ中に記憶されたディジタルサンプルは、少なくとも1のパイロットバーストが記憶されたことを確認するために少なくとも1０２４チップである。少なくとも1の実施例では、２０４８チップは、相関プロセスの期間中にノイズ安全性を高めるためにメモリ中に記憶される。記憶されたディジタルサンプルは、その後、プロセッサの制御の下でローカルに生成されたＰＮコードと対比される。対比された結果は、３２セグメントに削減され、図５に示されたように互いにオーバーレイされる。
【手続補正５】
【補正対象書類名】明細書
【補正対象項目名】００３８
【補正方法】変更
【補正の内容】
【００３８】
対比された結果のオーバーレイされたセグメントは、多くのパラメータを計算するために使用される。ブロック６０４において、ノイズフロアが計算される。ノイズフロア計算に基づいて、しきい値エネルギーレベルは、ブロック６０６において計算される。ノイズフロア及びしきい値エネルギーレベルは、図５と関連して上述した方式で、若しくはこの分輪で知られるいかなる方式で計算されることができる。対比された結果のオーバーレイされたセグメントは、その後、ブロック６０８においてしきい値エネルギーレベルに対して比較される。計算されたしきい値エネルギーレベルを超える全てのエネルギーピークが最大のエネルギーピーク、すなわちパイロットウィンドウ、から±３２チップ以内にないならば、若しくは、エネルギーピークが計算されたエネルギーしきい値を超えないならば、パイロット信号バーストの探索は、失敗である。
【手続補正６】
【補正対象書類名】明細書
【補正対象項目名】００３９
【補正方法】変更
【補正の内容】
【００３９】
パイロット信号バーストの探索が失敗したのであれば、プロセッサは、１６コセット全てがブロック６１０において探索されたか否かを決定する。1若しくはそれ以上のコセットが探索されていないのであれば、その後プロセッサは、ブロック６１２において未探索のコセットの１つを選択する、そして探索プロセスを繰り返すためにブロック６０２にループして戻る。逆に、１６コセットの全てが探索されているのであれば、プロセッサは、ブロック６０２にループして戻る前に、ブロック６１４において1若しくはそれ以上の相関パラメータを調節する。
【手続補正７】
【補正対象書類名】明細書
【補正対象項目名】００４２
【補正方法】変更
【補正の内容】
【００４２】
しきい値を超える全てのエネルギーピークが最大エネルギーピークから±３２チップ以内であるならば、その後、時間参照は、ブロック６１６において最大エネルギーピークに位置に基づいて設定される。ブロック６１８において、タイミング参照が、６４チップの探索ウィンドウで全ての残存するパイロット信号バースト、すなわち５１２パイロット信号バースト、を探索するために使用される。探索ウィンドウの幅は、周波数ロックの欠如に起因するエラーと同様に、多重経路遅延を認める大きさにされる。
【手続補正８】
【補正対象書類名】明細書
【補正対象項目名】００４３
【補正方法】変更
【補正の内容】
【００４３】
一旦、１６コセット全てが探索されると、最大のエネルギーピークが選択され、対応するゲートされたパイロット信号は、ブロック６２０において２回目の対比をされる。イグゼンプラリな説明された実施例では、１６の最大パイロット信号バーストが、選択される。しかしながら、この分野に知識のある者は、いかなる数のパイロット信号バーストが選択できることを、評価する。あるいは、最大のパイロット信号バーストは、この点で捕捉のために単に選択されることができる。第２の相関プロセスは、メモリ中のディジタルサンプルをアップデートすること、及びアップデートされたディジタルサンプルを各コセットに対してローカルに生成されたＰＮコードと対比することを必要とする。ローカルに生成されたＰＮコードは、１若しくはそれ以上の選択されたパイロット信号バーストを含む。選択されたパイロット信号バーストからのタイミング情報は、ブロック６１８においてコセットを探索するために使用したチップより少ない数のチップへ相関プロセスを制限するために、推定した位相オフセットをアップデートするために使用することができる。説明したイグゼンプラリな実施例では、ローカルに生成されたＰＮコードは、１/２チップの増分でメモリ中に記憶されたディジタルサンプルの８チップ部分にわたって位相順に連続的にシフトされる。
【手続補正９】
【補正対象書類名】明細書
【補正対象項目名】００４４
【補正方法】変更
【補正の内容】
【００４４】
ブロック６２２において、第２の相関プロセスで決定したように、１６の中で最大のパイロット信号バーストは、認識される。最大のパイロット信号バーストは、その後、第２のしきい値エネルギーレベルに比較される。第２のしきい値エネルギーレベルは、一般に、周波数ロックを達成するために必要な最小のエネルギーレベルに設定される。最大のパイロット信号バーストが、第２のしきい値エネルギーレベルより低ければ、その後、ゲートされたパイロット信号の探索は、失敗する。その結果、プロセッサは、１６コセットの全てが探索されたか否かを決定するために、ブロック６１０へループして戻る。１若しくはそれ以上のコセットが、探索されていないのであれば、その後、プロセッサは、ブロック６１２において未探索のコセットの１つを選択し、探索プロセスを繰り返すためにブロック６０２へループして戻る。逆に、１６コセット全てが探索されたのであれば、プロセッサは、ブロック６０２へループして戻る前に、ブロック６１４において１若しくはそれ以上の相関パラメータを調節する。
【手続補正１０】
【補正対象書類名】明細書
【補正対象項目名】００４５
【補正方法】変更
【補正の内容】
【００４５】
最大のパイロット信号バーストが、第２のしきい値エネルギーレベルを超えるのであれば、その後、復調器は、ブロック６２４においてキャリア周波数を固定しようと試みる。復調器が、キャリア周波数を良好に固定できるならば、捕捉プロセスは完了し、通信チャネルは、基地局と今設定されることができる。復調器が、キャリア周波数を固定できないのであれば、その後、ゲートされたパイロット信号の探索は、失敗する。その結果、プロセッサは、同一の若しくは異なった相関パラメータで探索プロセスを繰り返すためにブロック６１０へループして戻る。
【手続補正１１】
【補正対象書類名】明細書
【補正対象項目名】００４６
【補正方法】変更
【補正の内容】
【００４６】
図６と関連して説明したイグゼンプラリなプロセッサアルゴリズムは、種々の連続ブロックを含むけれども、ブロックのシーケンスがプロセッサのリソースを最適化するために代えることができること、若しくはその代わりに、１若しくはそれ以上のブロックが、並行して実施されることができることを、この分野に知識のある者は、歓迎するであろう。さらに、単独で、若しくは、図６に示した１若しくはそれ以上の説明したアルゴリズムブロックと組み合わせて、１若しくはそれ以上のブロックが省略できる、若しくは、この分野で周知の追加ブロックが使用できる。
【手続補正１２】
【補正対象書類名】図面
【補正対象項目名】図５
【補正方法】変更
【補正の内容】
【図５】
2004538711.tif 000001
【手続補正１３】
【補正対象書類名】図面
【補正対象項目名】図６
【補正方法】変更
【補正の内容】
【図６】
2004538711.tif 000002